(57)【要約】本発明は記録媒体に記録される少なくともデータの再生を管理するためのデータ構造を有する記録媒体、それによる記録及び再生方法及び装置に関する。前記記録媒体には少なくとも第１及び第２クリップストリームファイルとプレ一リストを有するデータ構造が含まれる。前記第１クリップストリームファイルには少なくとも一つ以上のスチールイメージを示すビデオデータが含まれて、前記第２クリップストリームファイルには少なくともオーディオデータが含まれる。前記プレ一リストにはプレ一アイテムとサブプレ一アイテムが含まれる。前記プレ一アイテムは再生する前記第１クリップストリームファイルの少なくとも一部を指し示して、前記サブプレ一アイテムは再生する前記第２クリップストリームファイルの少なくとも一部を指し示す。
2006506772.tif 000002
【特許請求の範囲】
【請求項１】
記録媒体に記録されるデータの再生を管理するためのデータ構造を有する記録媒体において、
少なくとも第１及び第２クリップストリームファイルとプレ一リストが保存される記録領域を含んで構成されて、ここで
前記第１クリップストリームファイルには少なくとも一つ以上のスチールイメージを示すビデオデータが含まれて、
前記第２クリップストリームファイルには少なくともオーディオデータが含まれて、
前記プレ一リストには少なくとも一つ以上のプレ一アイテムと少なくとも一つ以上のサブプレ一アイテムが含まれて、前記プレ一アイテムは再生する前記第１クリップストリームファイルの少なくとも一部を指し示して、前記サブプレ一アイテムは再生する前記第２クリップストリームファイルの少なくとも一部を指し示すことを特徴とする記録媒体。
【請求項２】
第１項において、
前記プレ一アイテムとサブプレ一アイテムはそれぞれ少なくとも一つ以上のスチールイメージとオーディオデータの再生を提供して、前記スチールイメージとオーディオデータが相互に同期して再生されることを特徴とする記録媒体。
【請求項３】
第２項において、
前記プレ一アイテムは前記第１クリップストリームファイルのビデオデータを再生するための開始地点と終了地点を指し示して、前記サブプレ一アイテムは前記第２クリップストリームファイルのオーディオデータを再生するための開始地点と終了地点を指し示すことを特徴とする記録媒体。
【請求項４】
第１項において、
前記プレ一アイテムは前記第１クリップストリームファイルのビデオデータを再生するための開始地点と終了地点を指し示して、前記サブプレ一アイテムは前記第２クリップストリームファイルのオーディオデータを再生するための開始地点と終了地点を指し示すことを特徴とする記録媒体。
【請求項５】
第１項において、
前記第１クリップストリームファイルには一つ以上のスチールイメージを示すビデオデータが含まれて、
前記プレ一アイテムは複数の前記スチールイメージの再生を指し示すことを特徴とする記録媒体。
【請求項６】
記録媒体に記録されるデータの再生を管理するためのデータ構造を記録する方法において、
少なくとも第１及び第２クリップストリームファイルとプレ一リストを前記記録媒体に記録することで構成されて、ここで
前記第１クリップストリームファイルには少なくとも一つ以上のスチールイメージを示すビデオデータが含まれて、前記第２クリップストリームファイルには少なくともオーディオデータが含まれて、前記プレ一リストには少なくとも一つ以上のプレ一アイテムと少なくとも一つ以上のサブプレ一アイテムが含まれて、前記プレ一アイテムは再生する前記第１クリップストリームファイルの少なくとも一部を指し示して、前記サブプレ一アイテムは再生する前記第２クリップストリームファイルの少なくとも一部を指し示すことを特徴とする方法。
【請求項７】
記録媒体に記録されるデータの再生を管理するためのデータ構造を再生する方法において、
少なくとも第１及び第２クリップストリームファイルとプレ一リストを前記記録媒体から再生することで構成されて、ここで
前記第１クリップストリームファイルには少なくとも一つ以上のスチールイメージを示すビデオデータが含まれて、前記第２クリップストリームファイルには少なくともオーディオデータが含まれて、前記プレ一リストには少なくとも一つ以上のプレ一アイテムと少なくとも一つ以上のサブプレ一アイテムが含まれて、前記プレ一アイテムは再生する前記第１クリップストリームファイルの少なくとも一部を指し示して、前記サブプレ一アイテムは再生する前記第２クリップストリームファイルの少なくとも一部を指し示すことを特徴とする方法。
【請求項８】
記録媒体に記録されるデータの再生を管理するためのデータ構造を記録する装置において、
記録媒体にデータを記録する光記録手段を駆動する駆動器；及び
少なくとも第１及び第２クリップストリームファイルとプレ一リストを前記記録媒体に記録するように前記駆動器を制御する制御器を含んで構成されて、ここで
前記第１クリップストリームファイルには少なくとも一つ以上のスチールイメージを示すビデオデータが含まれて、前記第２クリップストリームファイルには少なくともオーディオデータが含まれて、前記プレ一リストには少なくとも一つ以上のプレ一アイテムと少なくとも一つ以上のサブプレ一アイテムが含まれて、前記プレ一アイテムは再生する前記第１クリップストリームファイルの少なくとも一部を指し示して、前記サブプレ一アイテムは再生する前記第２クリップストリームファイルの少なくとも一部を指し示すことを特徴とする装置。
【請求項９】
記録媒体に記録されるデータの再生を管理するためのデータ構造を再生する装置において、
記録媒体に記録されるデータを再生する光再生手段を駆動する駆動器；及び
少なくとも第１及び第２クリップストリームファイルとプレ一リストを前記記録媒体から再生するように前記駆動器を制御する制御器を含んで構成されて、ここで
前記第１クリップストリームファイルには少なくとも一つ以上のスチールイメージを示すビデオデータが含まれて、前記第２クリップストリームファイルには少なくともオーディオデータが含まれて、前記プレ一リストには少なくとも一つ以上のプレ一アイテムと少なくとも一つ以上のサブプレ一アイテムが含まれて、前記プレ一アイテムは再生する前記第１クリップストリームファイルの少なくとも一部を指し示して、前記サブプレ一アイテムは再生する前記第２クリップストリームファイルの少なくとも一部を指し示すことを特徴とする装置。
【発明の詳細な説明】
【技術分野】
【０００１】
本発明は記録媒体に記録される少なくともスチールイメージ（Ｓｔｉｌｌ  Ｉｍａｇｅｓ）の再生を管理するためのデータ構造を有する記録媒体、それによる記録及び再生方法及び装置に関する。
【背景技術】
【０００２】
最近には、高画質のビデオデータと高音質のオーディオデータを高容量貯蔵することができる新しい高密度再生専用または再記録可能光ディスクに対する規格化作業が急速に展開されて、新しい光ディスクと関連された製品がまもなく商用化されることに期待されている。このような新しい光ディスクに対する例としては再記録可能ブルーレイディスク（ＢＤ−ＲＥ：Ｂｌｕｅ−ｒａｙ  Ｄｉｓｃ  Ｒｅｗｒｉｔａｂｌｅ）と読み取り専用ブルーレイディスク（ＢＤ−ＲＯＭ）がある。
【発明の開示】
【発明が解決しようとする課題】
【０００３】
前記ＢＤ−ＲＥの標準が発表されたが、前記ＢＤ−ＲＯＭのような高密度再生専用光ディスクに対する標準化作業は相変らず進行中である。しかし、前記高密度再生専用光ディスクに記録されるスチールイメージ（Ｓｔｉｌｌ  Ｉｍａｇｅｓ）の再生を管理するためのデータ構造に対する効果的な解決方案がまだ用意されていない。
【０００４】
したがって、本発明は前記のような実情を勘案して創作されたものであって、本発明による記録媒体には記録媒体に記録されるデータの再生を管理するためのデータ構造が含まれる。
【課題を解決するための手段】
【０００５】
本発明の一実施形態で、記録媒体の記録領域には少なくとも第１及び第２クリップストリームファイルとプレ一リストが保存される。前記第１クリップストリームファイルには少なくとも一つ以上のスチールイメージを示すビデオデータが含まれて、前記第２クリップストリームファイルには少なくともオーディオデータが含まれる。前記プレ一リストにはプレ一アイテムとサブプレ一アイテムが含まれる。前記プレ一アイテムは再生する前記第１クリップストリームファイルの少なくとも一部を指し示して、前記サブプレ一アイテムは再生する前記第２クリップストリームファイルの少なくとも一部を指し示す。
【０００６】
また、本発明によるデータ構造を記録して再生するための装置と方法が提示される。
【発明を実施するための最良の形態】
【０００７】
以下、本発明に対する望ましい実施形態に対して、添付した図面を参照しながら詳細に説明する。
【０００８】
本発明による高密度光ディスク、例えばＢＤ−ＲＯＭ、ＢＤ−ＲＥなどのような高密度記録媒体は、図１に示したように、ビデオとオーディオデータの再生を管理するファイルまたはデータ構造を有する。図１のような本発明によるデータ構造はいろいろな面で公知されたＢＤ−ＲＥのデータ構造と同様である。したがって、同様の部分は詳細な説明を省略する。
【０００９】
図１に示したように、ルートディレクトリには少なくとも一つ以上のＢＤディレクトリがある。前記ＢＤディレクトリには、一般ファイル（図示せず）、プレ一リスト（例えば、*．ｍｐｌｓ）ファイルが貯蔵されるＰＬＡＹＬＩＳＴディレクトリ、クリップ情報ファイル（*．ｃｌｐｉ）が貯蔵されるＣＬＩＰＩＮＦディレクトリ、及びクリップ情報ファイルに対応するＭＰＥＧ−２フォーマットのＡ／Ｖストリームクリップファイル（*．ｍ２ｔｓ）が貯蔵されるＳＴＲＥＡＭディレクトリがある。
【００１０】
前記ＳＴＲＥＡＭディレクトリにはクリップストリームファイルまたはクリップファイルと呼ばれるＭＰＥＧ−２フォーマットのＡ／Ｖストリームクリップファイルが含まれて、前記Ａ／Ｖストリームにはビデオとオーディオソースパケット（Ｓｏｕｒｃｅ  Ｐａｃｋｅｔｓ）が含まれる。例えば、ビデオデータのソースパケットにはヘッダーとトランスポートパケット（Ｔｒａｎｓｐｏｒｔ  Ｐａｃｋｅｔ）が含まれる。ソースパケットにはソースパケット番号が含まれるが、前記ソースパケット番号は一般的にソースパケットにアクセスするための住所役割をするように次々と割り当てられる番号である。トランスポートパケットにはパケット識別子（ＰＩＤ：Ｐａｃｋｅｔ  Ｉｄｅｎｔｉｆｉｅｒ）が含まれるが、前記ＰＩＤはトランスポートパケットが属するトランスポートパケットのシーケンス（Ｓｅｑｕｅｎｃｅ）を識別する。前記シーケンスにある各トランスポートパケットはＰＩＤが同じである。
【００１１】
前記ＣＬＩＰＩＮＦディレクトリには各Ａ／Ｖストリームファイルに連係するクリップ情報ファイルが含まれる。前記クリップ情報ファイルは連係するＡ／Ｖストリームの類型、シーケンス情報、プログラム情報、及びタイミング情報が含まれる。前記シーケンス情報は到着時間基準（ＡＴＣ）とシステム時間基準（ＳＴＣ）のシーケンスを説明する。例えば、前記シーケンス情報はシーケンスの数、各シーケンスのスタートと終わり時間情報、各シーケンスでの１番目ソースパケットの住所、及び各シーケンスでのトランスポートパケットのＰＩＤを指す。プログラムのコンテンツが一定なソースパケットのシーケンスがプログラムシーケンスと呼ばれる。プログラム情報はプログラムシーケンスの数、各プログラムシーケンスのスタート住所、及びプログラムシーケンスにあるトランスポートパケットのＰＩＤを指す。
【００１２】
前記タイミング情報は特徴ポイント情報（ＣＰＩ：Ｃｈａｒａｃｔｅｒｉｓｔｉｃ  Ｐｏｉｎｔ  Ｉｎｆｏｒｍａｔｉｏｎ）と呼ばれる。ＣＰＩの一つの類型がエントリーポイント（ＥＰ：Ｅｎｔｒｙ  Ｐｏｉｎｔ）マップ（Ｍａｐ）である。前記ＥＰマップは、例えば到着時間（ＡＴＣ）及び／またはシステム時間（ＳＴＣ）を基準にして、プレゼンテーションタイムスタンプ（ＰＴＳ：Ｐｒｅｓｅｎｔａｔｉｏｎ  Ｔｉｍｅ  Ｓｔａｍｐ）をソースパケット番号（ＳＰＮ：Ｓｏｕｒｃｅ  Ｐａｃｋｅｔ  Ｎｕｍｂｅｒ）のようなソースパケット住所に連結（ｍａｐ）する。前記プレゼンテーションタイムスタンプ（ＰＴＳ）とソースパケット番号（ＳＰＮ）はＡ／Ｖストリームにあるエントリーポイント（ＥＰ）と関連される。すなわち、前記ＰＴＳとこれと関連したＳＰＮはＡ／Ｖストリームのエントリーポイント（ＥＰ）を指す。指されるパケットはたびたびエントリーポイントパケットと呼ばれる。
【００１３】
ＰＬＡＹＬＩＳＴディレクトリには一つ以上のプレ一リストファイルがある。プレ一リストは再生用クリップを容易に編集したり組み合わせるために導入された概念である。プレ一リストファイルはクリップにある再生区間（Ｐｌａｙｉｎｇ  Ｉｎｔｅｒｖａｌｓ）の集合であって、各再生区間はプレ一アイテム（Ｐｌａｙｉｔｅｍ）と呼ばれる。前記プレ一リストファイルはプレ一リストを形成する各プレ一アイテムを識別して、各プレ一アイテムは、例えばＡＴＣまたはＳＴＣを基準にするプレゼンテーションタイムスタンプのような、クリップファイルの時間軸上の位置を指すＩＮ−ｐｏｉｎｔとＯＵＴ−ｐｏｉｎｔの対である。言い換えると、プレ一リストファイルはプレ一アイテムを識別して、各プレ一アイテムは一つのクリップファイルまたはその一部を指してクリップファイルと連係するクリップ情報ファイルを識別する。前記クリップ情報ファイルは前記プレ一アイテムをソースパケットのクリップファイルに連結するのに使われる。
【００１４】
一般情報ファイル（図示せず）は光ディスクに記録されるＡ／Ｖストリームの再生を管理するための一般情報を提供する。
【００１５】
図１では、本発明による記録媒体のデータ構造を説明するだけでなく、記録媒体の領域を見せてくれている。例えば、前記一般情報ファイルは少なくとも一つ以上の一般情報領域に記録されて、ＰＬＡＹＬＩＳＴディレクトリは少なくとも一つ以上のＰＬＡＹＬＩＳＴディレクトリ領域に記録されて、ＰＬＡＹＬＩＳＴディレクトリ内の各プレ一リストは前記記録媒体の少なくとも一つ以上のプレ一リスト領域に記録される。図２では図１のデータ構造を有する記録媒体に対する一例を見せてくれる。図２に示したように、前記記録媒体にはファイルシステム情報領域、データベース（Ｄａｔａｂａｓｅ）領域、そしてＡ／Ｖストリーム領域が含まれる。前記データベース領域には、一般情報ファイルとプレ一リスト情報領域、及びクリップ情報領域が含まれる。前記一般情報ファイルとプレ一リスト情報領域には、一般情報ファイル領域の一般情報ファイルと、プレ一リスト情報領域のＰＬＡＹＬＩＳＴディレクトリとプレ一リストファイルが記録される。前記クリップ情報領域には、ＣＬＩＰＩＮＦディレクトリと関連されるクリップ情報ファイルが記録される。前記Ａ／Ｖストリーム領域には多様なタイトルのＡ／Ｖストリームが記録される。
【００１６】
ビデオとオーディオデータは一般的に個別タイトルで編成されている。例えば、ビデオとオーディオデータにより表現される他の映画は他のタイトルで編成される。また、タイトルは、本が普通チャプター（Ｃｈａｐｔｅｒｓ）で編成されるように、多くのチャプターで編成されることができる。
【００１７】
ＢＤ−ＲＯＭ、ＢＤ−ＲＥのような新しい高密度記録媒体の貯蔵容量が非常に大きいため、いろいろなバージョンのタイトルがまたは１タイトルの一部が貯蔵されて再生されることができる。例えば、他のカメラ角度のビデオデータが記録媒体に記録されたり、他の例として、タイトルに対するいろいろなバージョンまたは他の言語と関連した一部も前記記録媒体に記録されることができる。また他の例として、タイトルに対する監督バージョン（Ｄｉｒｅｃｔｏｒ’ｓＶｅｒｓｉｏｎ）または映画館用バージョンも前記記録媒体に記録されることができる。または、１タイトルに対して完全成人バージョン、準成人バージョン、そして父母が制限することができる青少年バージョン、または１タイトルの一部が前記記録媒体に記録されることができる。各バージョン、各カメラアングルなどは他の再生経路を有して、このような場合のビデオデータは多重再生経路ビデオデータ（Ｍｕｌｔｉｐｌｅ  Ｒｅｐｒｏｄｕｃｔｉｏｎ  Ｐａｔｈ  Ｖｉｄｅｏ  Ｄａｔａ）と呼ばれる。
【００１８】
ＢＤ−ＲＯＭのような新しい高密度記録媒体の貯蔵容量が大きいため、スチールイメージは、例えばスライドショーのように、用意した（Ｏｒｇａｎｉｚｅｄ）方式及び／またはユーザーインタラクティブ（Ｉｎｔｅｒａｃｔｉｖｅ）方式で記録されて再生されることができる。本発明による、高密度光ディスクでスチールイメージの再生を管理するためのデータ構造がスチールイメージの記録及び再生に関する本発明による方法及び装置発明と共に説明される。
【００１９】
本発明の実施形態によって高密度記録媒体に対してスチールイメージを管理する方法では、ある程度ＢＤ−ＲＥのファイル構造と記録フォーマットを基礎にして、複数のスチールイメージピクチャーを記録する。図３に示したように、前記複数のスチールイメージ（例えば、ＪＰＥＧなど）は、オーディオ及び／またはビデオデータ（例えば、ムービービデオデータ）のクリップファイルとは別個にして、別途のクリップファイル（Ｓｔｉｌｌ_Ｃｌｉｐ  Ｆｉｌｅ）で保存される。
【００２０】
前記クリップファイル（Ｓｔｉｌｌ_Ｃｌｉｐ  Ｆｉｌｅ）が保存された後、前記クリップファイル（Ｓｔｉｌｌ_Ｃｌｉｐ  Ｆｉｌｅ）に対応するクリップ情報ファイル（Ｓｔｉｌｌ_Ｃｌｉｐ_Ｉｎｆｏｒｍａｔｉｏｎ  Ｆｉｌｅ）が生成されて記録される。前記クリップ情報ファイル（Ｓｔｉｌｌ_Ｃｌｉｐ_Ｉｎｆｏｒｍａｔｉｏｎ  Ｆｉｌｅ）にはエントリーポイントマップ（ＥＰ  ｍａｐ）と複数のシーケンス（Ｓｅｑｕｅｎｃｅ）（Ｓｔｉｌｌ_Ｓｅｑｕｅｎｃｅ  １とＳｔｉｌｌ_Ｓｅｑｕｅｎｃｅ  ２）が含まれる。前記エントリーポイントマップにあるエントリーポイントそれぞれはスチールイメージピクチャーに対応する。例えば、各エントリーポイントは連係するスチールイメージピクチャーを形成するビデオデータの先頭のスタート住所（Ａｄｄｒｅｓｓ）（例えばソースパケット番号）を提供する。一実施形態で、各スチールイメージピクチャーは少なくともＭＰＥＧ−２のＩ  ｐｉｃｔｕｒｅ（Ｉｎｔｒａ−ｃｏｄｅｄ  ｐｉｃｔｕｒｅ）でスタートして、したがって、前記スタート住所はこのようなＩ  ｐｉｃｔｕｒｅを指し示す。他の実施形態で、前記スチールイメージピクチャーにはビデオデータのＩ  ｐｉｃｔｕｒｅだけが含まれる。
【００２１】
スチールイメージピクチャーに対するエントリーポイントには前記スチールイメージピクチャーに対する住所情報と持続期間（Ｄｕｒａｔｉｏｎ）情報が含まれる。前記持続期間の代わりにまたは追加で、前記エントリーポイントには連係するスチールイメージピクチャーに対するプレゼンテーションタイムスタンプ（ＰＴＳ）が含まれることができる。前記エントリーポイントには前記スチールイメージピクチャーと同時に再生されるオーディオデータに対する持続期間情報またはプレゼンテーションタイムスタンプが含まれることができる。
【００２２】
図３に示したように、クリップ情報ファイルに含まれるスチールシーケンスそれぞれには‘Ｓｔａｒｔ_ｐｉｃｔｕｒｅ_ｎｕｍｂｅｒ’、‘Ｎｕｍｂｅｒ_ｏｆ_ｐｉｃｔｕｒｅｓ’、及び‘Ｐｉｃｔｕｒｅ_ｓｉｚｅ’情報フィールドがある。各フィールドに含まれた情報はフィールド名前により自明だ。シーケンスと連係されるスチールイメージピクチャーそれぞれは同じ属性のようなピクチャーサイズを有する。
【００２３】
図示したように、第１シーケンスＳｔｉｌｌ_Ｓｅｑｕｅｎｃｅ  １には‘Ｓｔａｒｔ_ｐｉｃｔｕｒｅ_ｎｕｍｂｅｒ＝１’、‘Ｎｕｍｂｅｒ_ｏｆ_ｐｉｃｔｕｒｅｓ＝７’、及び‘Ｐｉｃｔｕｒｅ_ｓｉｚｅ＝１９２０ｘ１０８０’が記録されて、第２シーケンスＳｔｉｌｌ_Ｓｅｑｕｅｎｃｅ  ２には‘Ｓｔａｒｔ_ｐｉｃｔｕｒｅ_ｎｕｍｂｅｒ＝８’、‘Ｎｕｍｂｅｒ_ｏｆ_ｐｉｃｔｕｒｅｓ＝１０’、及び‘Ｐｉｃｔｕｒｅ_ｓｉｚｅ＝９６０ｘ５４０’が記録される。また、前記スチールシーケンスの開始はオフセットピクチャー番号（Ｏｆｆｓｅｔ_ｐｉｃｔｕｒｅ_ｎｕｍｂｅｒ）で表現されることができる。
【００２４】
スチールイメージのディスプレーとスチールイメージがディスプレーされる間再生されるオーディオデータは本発明の実施形態によるプレ一リスト水準で管理される。一実施形態で、プレ一リストのプレ一アイテムがスチールイメージピクチャーを形成するビデオデータの再生を管理するために使われて、前記プレ一リストのサブプレ一アイテムが前記スチールイメージピクチャーと共に再生されるオーディオデータの再生を管理するために使われる。プレ一アイテムは一つのスチールイメージピクチャーの再生を指し示すことができる。またはプレ一アイテムは一群れのスチールイメージピクチャーの再生を指し示すこともできて、また前記群れに対するディスプレーモード（Ｄｉｓｐｌａｙ  ｍｏｄｅ）を指し示すことができる。
【００２５】
図４では図３の実施形態と関連してプレ一アイテムとサブプレ一アイテムを利用してスチールイメージピクチャーとオーディオデータの再生を管理する実施形態を図示している。図示したように、プレ一リストのプレ一アイテムには‘ＩＮ_Ｐｉｃｔｕｒｅ’と‘ＯＵＴ_Ｐｉｃｔｕｒｅ’情報が含まれるが、これは図３のＳｔｉｌｌ_Ｃｌｉｐ  Ｆｉｌｅのようなクリップファイル内の一群れのスチールイメージピクチャーＰｉｃｔｕｒｅ  １ないしＰｉｃｔｕｒｅ  ｎのスタートと終わりを指し示す。図３を参照にして説明したように、一実施形態で、エントリーポイントは各スチールイメージと連係される。前記エントリーポイントは前記スチールイメージピクチャーＰｉｃｔｕｒｅ  １ないしＰｉｃｔｕｒｅ  ｎを含むクリップファイルと連係されるクリップ情報ファイル内のエントリーポイントマップの少なくとも一部を形成する。前記エントリーポイントは各ピクチャーに対する持続期間及び／またはＰＴＳを提供する。図４に示したように、前記プレ一リストのサブプレ一アイテムには‘ＩＮ_Ｔｉｍｅ’と‘ＯＵＴ_Ｔｉｍｅ’情報が含まれるが、これは前記スチールイメージピクチャーと連係されて再生される、Ｓｔｉｌｌ_Ｃｌｉｐ  Ｆｉｌｅと別個のクリップファイル内のオーディオストリームのスタートと終わりを指し示す。図４にさらに図示したように、前記サブプレ一アイテムが提供する‘ＩＮ_Ｔｉｍｅ’と‘ＯＵＴ_Ｔｉｍｅ’情報は前記プレ一アイテムが提供する‘ＩＮ_Ｐｉｃｔｕｒｅ’と‘ＯＵＴ_Ｐｉｃｔｕｒｅ’と同期されて、下記で詳細に説明する光ディスク再生装置では、再生する間、第２、第３、及び第４スチールイメージＰｉｃｔｕｒｅ  ２、３、４の再生と同期して、前記第２、第３、及び第４スチールイメージＰｉｃｔｕｒｅ  ２、３、４に対するオーディオデータ部分を再生する。
【００２６】
図４では制約的持続時間の間スチールイメージピクチャーがディスプレーされる例を図示する反面、図５にはスチールイメージピクチャーが無制限ディスプレー持続期間を有する場合実施形態を図示している。この実施形態で、スチールイメージピクチャーＰｉｃｔｕｒｅ  １と連係されるエントリーポイントは無制限に設定される。その結果、下記で詳細に説明する光ディスク再生装置では、前記スチールイメージピクチャーを無限にディスプレーする。また図５では、前記スチールイメージピクチャーＰｉｃｔｕｒｅ  １の再生を指示するプレ一アイテムを含むプレ一リストに別個のクリップファイルにあるオーディオデータ部分の再生を指示するサブプレ一アイテムが含まれることを見せてくれている。スチールイメージピクチャーのディスプレー持続期間が無制限である時、前記光ディスクを再生する装置では前記スチールイメージピクチャーと連係されるオーディオデータを持続的に再生したり、または選択的に所定の回数だけ繰り返して再生する。また、スチールイメージピクチャーの無制限持続期間に対して、前記光ディスク再生装置ではユーザー入力が受信される時まで前記スチールイメージピクチャーを再生する。
【００２７】
図６では、スチールイメージピクチャーが制約的持続期間の間ディスプレーされる、先に説明したデータ構造を基礎にして、スライドショーを順次的にディスプレーする例を図示している。図６の実施形態で、前記光ディスク再生装置では、スライドショーを実行するが、スライドショーはクリップファイルと連係されるクリップ情報ファイルのエントリーポイントに含まれる持続期間情報によって前記クリップファイルに保存される複数のスチールイメージピクチャーを順次的にディスプレーする。
【００２８】
または、各スチールイメージに対するプレゼンテーションタイムスタンプ（ＰＴＳ）が前記持続期間情報の代わりに記録されることもできる。この場合、前記光ディスク再生装置では、連係する各スチールイメージのディスプレーをいつ始めるはずなのかを決定するために各イメージと連係されるプレゼンテーションタイムスタンプ（ＰＴＳ）を利用して、同じ方式でスライドショーを遂行する。
【００２９】
エントリーポイントに前記スチールイメージピクチャーと関連されたオーディオ持続期間情報またはオーディオプレゼンテーションタイムスタンプ（ＰＴＳ）がやはり含まれれば、前記光ディスク再生装置では前記オーディオ持続期間情報またはオーディオプレゼンテーションタイムスタンプを利用して同じ方式でスライドショーを遂行する。
【００３０】
また、前記光ディスク再生装置では複数のスチールイメージピクチャーが無制限にディスプレーされるブラウザブルスライドショーを遂行することができる。ブラウザブルスライドショーで、前記光ディスク再生装置はユーザー入力を基礎にしてスチールイメージ再生をスキップ（Ｓｋｉｐ）する。図７では本発明の実施形態によって先に説明したデータ構造を基礎にして遂行されるブラウザブル（Ｂｒｏｗｓａｂｌｅ）スライドショーの例を図示している。図示したように、プレ一リストには第１ないし第３プレ一アイテムＰｌａｙＩｔｅｍ  １、ＰｌａｙＩｔｅｍ  ２、ＰｌａｙＩｔｅｍ  ３が含まれる。第１ないし第３プレ一アイテムＰｌａｙＩｔｅｍ  １、ＰｌａｙＩｔｅｍ  ２、ＰｌａｙＩｔｅｍ  ３それぞれにはスチールイメージピクチャーを含む一つまたはそれ以上のクリップファイルから一つまたはそれ以上のスチールイメージピクチャーを再生するための情報が含まれる。
【００３１】
図７に示したように、前記第１プレ一アイテムＰｌａｙＩｔｅｍ  １により参照されるクリップファイル部分には少なくとも第１、第２、及び第３ピクチャーＰｉｃ．１、Ｐｉｃ．２、Ｐｉｃ．３が含まれる。図７では、第１、第２、及び第３ピクチャーＰｉｃ．１、Ｐｉｃ．２、Ｐｉｃ．３と連係される各エントリーポイントがそれぞれ制約的であるディスプレー持続期間Ｄｕｒａｔｉｏｎ  １、Ｄｕｒａｔｉｏｎ  ２、Ｄｕｒａｔｉｏｎ  ３を提供している。
【００３２】
したがって、前記第１プレ一アイテムＰｌａｙＩｔｅｍ  １の前記スチールイメージピクチャーは順次的にディスプレーされる。しかし、スチールイメージピクチャーをディスプレーする間、前記光ディスク再生装置で以前または次のスチールイメージピクチャーのディスプレーを指示するユーザー入力を受信すれば、前記光ディスク再生装置では現在のスチールイメージピクチャーのディスプレーを終えて、前記以前または次のスチールイメージピクチャーをディスプレーする。図７では第２スチールイメージピクチャーＰｉｃ．２をディスプレーする間次のスチールイメージピクチャーのディスプレーを指示するユーザー入力が受信される例を図示している。前記要求が受信されると、前記光ディスク再生装置は次のスチールイメージピクチャーに対するエントリーポイント、すなわち、現在ディスプレーされるスチールイメージに対するエントリーポイント次のエントリーポイントを参照する。前記次のエントリーポイントを利用して前記次のスチールイメージピクチャーＰｉｃ．３がディスプレーされる。図７では、第３スチールイメージピクチャーＰｉｃ．３をディスプレーする間以前スチールイメージピクチャーのディスプレーを指示するユーザー入力が受信される例をさらに図示している。前記要求が受信されると、前記光ディスク再生装置は以前スチールイメージピクチャーに対するエントリーポイント、すなわち、現在ディスプレーされるスチールイメージに対するエントリーポイント以前のエントリーポイントを参照する。前記以前エントリーポイントを利用して前記以前スチールイメージピクチャーＰｉｃ．２がディスプレーされる。
【００３３】
図７でさらに図示するように、オーディオデータが各スチールイメージピクチャーと連係されれば、スチールイメージピクチャーに対するビデオデータに関して先に説明したことと同じ方式で、ユーザーの入力は再生されるオーディオデータを変える効果がある。
【００３４】
図７の第２プレ一アイテムＰｌａｙＩｔｅｍ  ２に示したように無制限のディスプレー持続期間を有するスチールイメージピクチャーに関してもブラウザブルスライドショーが起こる。第１プレ一アイテムＰｌａｙＩｔｅｍ  １を参照にして先に説明したことと同じ方式で、スチールイメージピクチャーから次または以前スチールイメージピクチャーでスキップされる。
【００３５】
Ｐ０４１９１ｄｐと一致（３段落一致、図１８−＞図８、図１７−＞図７）図８は本発明による光ディスク記録及び再生装置に対する構成を示したものである。Ａ／Ｖエンコーダー９は、データ（例えば、スチールイメージデータ、オーディオデータ）を入力受けてエンコーディングして、コーディング情報とストリーム属性情報と共に多重化装置（Ｍｕｌｔｉｐｌｅｘｅｒ）８に出力する。多重化装置８は、例えば、ＭＰＥＧ−２伝送ストリーム（ＭＰＥＧ−２  ｔｒａｎｓｐｏｒｔ  ｓｔｒｅａｍ）を作るために、前記入力されるコーディング情報とストリーム属性情報を基礎にして前記エンコーディングされたデータを多重化する。ソース・パケッタイザー（Ｓｏｕｒｃｅ  ｐａｃｋｅｔｉｚｅｒ）７は前記多重化装置８から入力される伝送パケットを光ディスクのオーディオビデオフォーマットに合うソースパケットでパケット化する。図８に示したように、前記Ａ／Ｖエンコーダー９、前記多重化装置８、そして前記ソース・パケッタイザー７の動作は制御器１０により操縦される。前記制御器１０がユーザーから記録命令を受信すれば、前記Ａ／Ｖエンコーダー９、前記多重化装置８、そして前記ソース・パケッタイザー７に制御情報を送る。例えば、前記制御器１０は、前記Ａ／Ｖエンコーダー９に実行するエンコーディング類型を指示して、前記多重化装置８に作り出す伝送ストリームを指示して、そして前記ソース・パケッタイザー７にソースパケットのフォーマットを指示する。また、前記制御器１０は光ディスクに前記ソース・パケッタイザー７の出力を記録することができるように駆動器３を制御する。
【００３６】
また、前記制御器１０は光ディスクに記録されているデータの再生を管理するためのナビゲーション情報と管理情報を作り出す。例えば、ユーザーとのインターフェース（ディスクに貯蔵されているかコンピュータシステムによりイントラネットまたはインターネットを介して提供する命令語）を介して受けた情報を基礎にして、前記制御器１０は前記光ディスクに図１ないし図７のデータ構造のうち一つまたはそれ以上を記録するように前記駆動器３を制御する。
【００３７】
再生する間には、前記制御器１０はデータ構造を再生するように前記駆動器３を制御する。すなわち、ディスクに含まれた情報とユーザーインターフェース（記録及び再生装置の操作ボタンまたは前記装置と関連された遠隔操縦）を介して受けたユーザー入力を基礎にして、前記制御器１０は前記光ディスクからデータを再生するように前記駆動器３を制御する。例えば、本発明の実施形態を参照にして説明した通り、一つのスチールイメージまたは複数のスチールイメージがナビゲーション情報を基礎にしてオーディオデータと連係して再生されることができる。また、イメージまたは一群れのイメージはスライドショーまたはスライドショーの一部で再生されることができる。スライドショーは同期されたりブラウザブルになることができる。
【００３８】
ソース・デパケッタイザー（Ｓｏｕｒｃｅ  Ｄｅｐａｃｋｅｔｉｚｅｒ）４は再生されたソースパケットを入力受けてＭＰＥＧ−２伝送パケットストリームのようなデータストリームに転換する。多重分離装置（Ｄｅｍｕｌｔｉｐｌｅｘｅｒ）５は前記データストリームをエンコーディングされたデータに逆多重化する。Ａ／Ｖデコーダー６はエンコーディングされたデータをデコーディングして元のデータに作る。再生する間、前記ソース・デパケッタイザー４、前記多重分離装置５、そして前記Ａ／Ｖデコーダー６の動作は前記制御器１０により操縦される。前記制御器１０がユーザーから再生命令を受信すれば、前記ソース・デパケッタイザー４、前記多重分離装置５、そして前記Ａ／Ｖデコーダー６に制御情報を送る。例えば、前記制御器１０は、前記ソース・デパケッタイザー４にソースパケットのフォーマットを指示して、前記多重分離装置５に逆多重化する伝送ストリームを指示して、そして前記Ａ／Ｖデコーダー６に実行するデコーディング類型を指示する。
【００３９】
図８には記録と再生装置に関して図示しているが、図８の構成要素一部だけで記録動作または再生動作だけ提供する専用記録装置または専用再生装置も可能である。
【００４０】
上で説明したように、本発明は高密度記録媒体（例えば、ＢＤ−ＲＯＭのような高密度光ディスク）に記録されるスチールイメージを管理するためのデータ構造を有する記録媒体を提供する。例えば、前記データ構造ではスチールイメージとオーディオを多くの方法で表示することができるようにする。
【００４１】
また、本発明は記録媒体に記録されるスチールイメージを管理するために、高密度記録媒体にデータ構造を記録する方法と装置を提供する。
【００４２】
また、本発明は、スチールイメージの再生を管理するためのデータ構造を基盤にして、高密度記録媒体に記録されたスチールイメージを再生するための方法と装置を提供する。
【００４３】
以上、前述した本発明の望ましい実施形態は例示の目的のために開示されたものであって、前記ＢＤ−ＲＯＭ以外の他の光ディスクにも拡大適用が可能であり、また当業者ならば添付された特許請求範囲に開示された本発明の技術的思想とその技術的範囲内で、多様な他の実施形態を改良、変更、代替または付加などが可能であることである。
【図面の簡単な説明】
【００４４】
【図１】図１は本発明による記録媒体のファイルまたはデータ構造を示したものである。
【図２】図２は図１のデータ構造を有する記録媒体を示したものである。
【図３】図３は本発明の実施形態によって高密度光ディスクに対してスチールイメージを管理する方法を示したものである。
【図４】図４は図３の実施形態と関連してプレ一アイテムとサブプレ一アイテムを利用してスチールイメージピクチャーとオーディオデータの再生を管理する実施形態を示したものである。
【図５】図５はスチールイメージピクチャーが無制限ディスプレー持続期間を有する場合本発明による実施形態を示したものである。
【図６】図６はスチールイメージピクチャーが制約的持続期間の間ディスプレーされる順次的なディスプレースライドショー（Ｓｌｉｄｅ  ｓｈｏｗ）の例を示したものである。
【図７】図７は本発明の実施形態によって遂行されるブラウザブル（Ｂｒｏｗｓａｂｌｅ）スライドショーの例を示したものである。
【図８】図８は本発明による光ディスク記録及び再生装置に対する構成を示したものである。
【図１】
2006506772.tif 000003
【図２】
2006506772.tif 000004
【図３】
2006506772.tif 000005
【図４】
2006506772.tif 000006
【図５】
2006506772.tif 000007
【図６】
2006506772.tif 000008
【図７】
2006506772.tif 000009
【図８】
2006506772.tif 000010
【国際調査報告】
2006506772.tif 000011